(57)【要約】      （修正有）【課題】梱包箱内に詰め込まれた被梱包体を取り出すとき、簡単な作業で容易に取り出すことができ、かつ繰返し梱包箱として使用できる梱包箱を提供する。【解決手段】直方体または立方体形状の箱型段ボールからなる梱包箱Aで、該梱包箱Aの少なくとも１つの隅角辺に、該隅角辺１００の上端から、下端には至らない切り込み２００を設ける。また、切り込み２００の深さは、該梱包箱Aの高さの１／２０以上〜１／２以下が好ましい。【選択図】図１
2008007182.tif 000002
【特許請求の範囲】
【請求項１】
直方体または立方体形状の箱型段ボールからなる梱包箱で、該梱包箱の少なくとも１つの隅角辺に、該隅角辺の上端から、下端には至らない切り込みを設けたことを特徴とする梱包箱。
【請求項２】
前記切り込みの深さは、該梱包箱の高さの１／２０以上〜１／２以下であることを特徴とする請求項１に記載の梱包箱。
【発明の詳細な説明】
【技術分野】
【０００１】
本発明は段ボールからなる梱包箱に関するものである。
【背景技術】
【０００２】
従来、図４、図５で示すように、紙製包装箱からの被包装物の取り出しを容易に行なえるようにするために、２組の対向側板２、２、３，３と、この対向側板２、２、３，３の下端に連設された底板形成用フラップ４、４、５，５と、この対向側板２，２、３，３の上端に連設された上蓋形成用フラップ６、６、７、７とを備えてなる紙製包装箱であって、短辺側の各側板２の上端においてこの各側板２と各側板２の上端に繋がる上蓋形成用フラップ６との連設折り曲げ線９に上端が繋がる２本のカット線部分１０ａと、前記カット線部分１０ａと前記連設折り曲げ線９との繋がり部から連設折り曲げ線９上で端部側に延びるカット線部分１０ｂとからなるカット線１０が形成され、前記２本のカット線部分１０ａの下端間には前記連設折り曲げ線９と平行な折り曲げ線１１が形成された紙製包装箱が開示されている。(特許文献１)
【０００３】
また、図６〜図８で示すように、外箱に収容している物品の取り出しを容易にするとともに、陳列棚などに物品を簡単に並べることができるようにし、陳列作業の手間を軽減するために、外箱２の胴部７の四側面板８それぞれに連接された下面フラップ９を折り重ねて胴部７における一つの対角方向Ｘで相対するフラップ重なり部１２で下面フラップ９を貼り合わせて底面閉鎖部１０を形成し、胴部７におけるもう一つの対角方向Ｙで相対する胴部折り部１５、１６の内、少なくとも一方の胴部折り部１５に、上面閉鎖部６から底面閉鎖部１０に亘る切断部１８を設けた段ボール包装体が開示されている。（特許文献２）
【０００４】
【特許文献１】特開２００３−０２６１５２号公報
【特許文献２】特開２００２−２１１５５０公報
【発明の開示】
【発明が解決しようとする課題】
【０００５】
前記従来例は、包装箱内に詰め込まれた被包装物を取り出すときは、全ての上蓋形成用フラップを完全に開いた状態で、１組の対向側板側に形成されたカット線を切ることにより、１組の対向側板側でこの対向側板の上端とこの上端部分に繋がる上蓋形成用フラップは外側に大きく開かれ、１組の対向側板側の内面に面する被包装物の上端は露出し、この露出する被包装物の上端両側に指を添えて被包装物を包装箱から引き上げることにより、被包装物の取り出し作業を容易に行なうことができるようにした紙製包装箱である。
しかしながら、このような包装箱は１組の対向側板側に形成されたのカット線を切ることにより、取り出し作業を容易にしたもので、カット線を切るため再度包装箱として使用することできないことが課題である。 
【０００６】
また他の従来例は、収納物４をトレイ３に配置された状態のまま取り出すことができるようにした段ボール製の包装体である。胴部折り部１５に一条の切り取りミシン目からなる切断部１８が設けられていて、この切断部１８から胴部７を切り開き、胴部７を側方に広く展開することができるようにしており、ミシン目で切断するので、再度包装体として使うことができないことが課題である。
以上のように本発明の課題は、梱包箱内に詰め込まれた被梱包体を取り出すとき、簡単な作業で容易に取り出すことができ、かつ繰返し梱包箱として使用できる梱包箱を提供することである。
【課題を解決するための手段】
【０００７】
直方体または立方体形状の箱型段ボールからなる梱包箱で、該梱包箱の少なくとも１つの隅角辺に、該隅角辺の上端から、下端には至らない切り込みを設けたことを特徴とする。
また、前記切り込みの深さは、該梱包箱の高さの１／２０以上〜１／２以下が好ましい。
【発明の効果】
【０００８】
上記構成により、該梱包箱の少なくとも１つの隅角片に切り込みを設けたため、被梱包体（図示せず）を取り出す際は、上蓋形成用フラップは、切り込み２００の深さの分がプラスされ外側に大きく開かれるため、簡単な作業で被梱包体の上端部が露出し、露出した被包装体を引き上げ、取り出しが容易になるという効果を奏する。
また、被梱包体を取り出す際に、梱包箱の一部を切断し梱包箱としての機能を失する構造ではないため、梱包箱として繰返し使うことができ、実用性に優れた効果を奏するものである。
【実施例１】
【０００９】
以下、本発明の実施例について図面を参照しながら説明する。図１は直方体形状の箱型段ボールからなる梱包箱Ａで上蓋用フラップを開いた状態の斜視図であり、図２は、該梱包箱Ａを展開した六面図であり、図３は該梱包箱Ａの六面図である。
【００１０】
図１、図２において、該梱包箱Ａは、２組の対向側板２０、３０、２０、３０で、該対向側板の上端縁に連設した上蓋形成用のフラップ４０、５０、４０、５０と、該対向側板の下端縁に連設した底蓋形成用のフラップ６０、７０、６０、７０とを備えている。
該梱包箱Ａの四隅角辺には、上端から切り込み２００が設けられている。該梱包箱Ａは、大きさが幅６１ｃｍ、奥行き５７ｃｍ、高さ２６ｃｍで、切り込み２００の深さは7ｃｍで、Ａフルートの両面段ボールを用いた。
【００１１】
本発明に係る梱包箱の製造過程について説明する。まず、所定の寸法に裁断された段ボール板に溝を切る（＝切り込みを入れる）。この溝切り加工はスロッタと呼ばれる機械を用いる。この加工で得られた溝１００によって上蓋形成用のフラップが形成され、溝１１０によって底蓋形成用のフラップが形成される。
一般的に該溝切りによって得られる溝幅は６．４ｍｍで、該溝幅は溝切り用刃物の幅を変えることで適宜選ぶことができる。該溝切りの長さはフラップの長さに等しい。本発明の切り込み２００は、該溝切りの長さを延長することで容易に形成することができる。
【００１２】
次に、折り曲げ線８０、９０、１２０、１３０、１４０、１５０を入れる。この加工は罫線機とよばれる機械を用いる。該罫線機は、上下一対の回転している雄罫と雌罫からなり、この間に段ボールを通すことで折り曲げ線（＝罫線）が形成される。
【００１３】
この次に製箱工程に入る。このようにして得られた段ボール板は、酢酸ビニルのエマルジョンからなる糊を、糊代部１６０に塗布し糊貼する。該糊貼の他に、接合用テープを用いても良いし、銅めっきを施した平線を用いた平線貼りを用いても良い。折り曲げ線（＝縦罫線）１２０、１３０、１４０、１５０に沿って対向側板２０、３０、２０、３０を折り曲げ、前記のように糊貼された後、折り曲げ線（＝横罫線）８０に沿って上蓋用フラップ４０、５０、４０、５０を折り曲げ上蓋を形成し、横罫線９０に沿って底蓋用フラップ６０、７０、６０、７０を折り曲げ底蓋を形成し、梱包箱Ａを得ることができる。
【００１４】
ここで、前記切り込み２００の深さは、好ましくは該梱包箱の高さの１／２０以上〜１／２以下である。または該梱包箱の隅角辺の上端から３ｃｍ（３ｃｍも含む）以上〜該梱包箱の高さの１／２以下である。
より好ましくは１／４以上〜１／２以下であり、または該隅角辺の上端から６ｃｍ（６ｃｍも含む）以上〜該梱包箱の高さの１／２である。
切り込み２００の深さが、１／２を超えると該梱包箱の強度が損なわれため好ましくなく、また切り込み２００の深さが、該梱包箱の高さの１／２０未満または３ｃｍ未満であると、被梱包体の上端部の露出が少なくなり非梱包体を引き上げが困難となるため好ましくない。
本実施例では切り込み２００は四隅角辺に設けたが、少なくとも１つの隅角辺に該切り込み２００を上記の範囲で設ければ良い。
【００１５】
該切り込み２００を、ミシン目にすることも可能である。該ミシン目は、通常のミシン目を作製する方法であれば何れも用いることができる。
ミシン目の製造方法を例示する。ミシン目は裁断機と呼ばれる機械を用い、上下一対のミシン目用の刃物を組み込んだ裁断機の間に段ボールを通過させることによって得られる。
該ミシン目用の刃物は抜き型と呼ばれる平板または湾曲状の合板や鋼板に組み込んだものであり、ミシン目の長さや場所に応じ該抜き型を作製する。
該抜き型にフラップ形成用の刃物を組込だり、縦罫線や横罫線用の刃物を組込ことも可能で、大ロットの梱包箱を生産する場合は、該切り込み２００をミシン目にすることも有効な方法である。
【００１６】
一方、小ロットの梱包箱を生産する場合は、前記溝切り用の機械で加工した方が、梱包箱を安価に提供することが可能となる。
【図面の簡単な説明】
【００１７】
【図１】本発明の実施例１に関する梱包箱Ａの斜視図である。
【図２】本発明の実施例１に関する梱包箱Ａの展開六面図である。
【図３】本発明の実施例１に関する梱包箱の六面図である。
【図４】従来の梱包箱の例示である。
【図５】従来の梱包箱の展開六面図である。
【図６】従来の梱包箱のその他の例示である。
【図７】従来の梱包箱である。
【図８】従来の梱包箱である。
【符号の説明】
【００１８】
Ａ          梱包箱
２０、３０  側板
４０、５０  上蓋用フラップ
６０、７０  底蓋用フラップ
１００、１１０  溝
２００      切り込み
【図１】
2008007182.tif 000003
【図２】
2008007182.tif 000004
【図３】
2008007182.tif 000005
【図４】
2008007182.tif 000006
【図５】
2008007182.tif 000007
【図６】
2008007182.tif 000008
【図７】
2008007182.tif 000009
【図８】
2008007182.tif 000010